(57)【要約】【課題】無線タグ内の情報（ＩＤ）を全ての情報要求装置に対して返してしまい、個人情報が保護されていない。【解決手段】無線タグ内のアンテナ２０１に電気的エネルギーを計測する計測手段２０２を備え、与えられた電気的エネルギーの値によってタグ内の情報（ＩＤ）を計算し返すことにより、無線タグと情報要求装置との間隔がある一定の間隔でない限り、正しい情報（ＩＤ）が得られないようにする。こうすることによって、情報（ＩＤ）に個人情報が結び付けられていた場合に、不用意に情報（ＩＤ）を返すことが無くなり個人情報を保護したい場合にも使えるようになる。【選択図】図２
2005352724.tif 000002
【特許請求の範囲】
【請求項１】
電気的エネルギーを受け取るアンテナと、
前記アンテナに与えられた電気的エネルギーを計測し、電気的エネルギー値を得る計測手段と、
一つの識別子を保持する識別子保持手段と、
識別子の値を要求するコマンドを受信するコマンド受信手段と、
受信したコマンドに対して応答を返すコマンド送信手段と、
前記計測手段により計測された前記電気的エネルギー値に対して識別子を計算によって算出する識別子計算手段とを備えたことを特徴とする無線タグ装置。
【請求項２】
前記計測手段は、アンテナに与えられた電力値、電圧値、電流値、電荷値、電束密度値および電界強度値のうちの少なくとも１つを計測することを特徴とする請求項１に記載の無線タグ装置。
【請求項３】
前記電気的エネルギー値が決められた値のときにだけ、決められた前記識別子を返すことを特徴とする前記識別子計算手段を備えた、請求項１または２記載の無線タグ装置。
【請求項４】
前記電気的エネルギー値に応じた前記識別子を返すことを特徴とした前記識別子計算手段を備えた、請求項１または２記載の無線タグ装置。
【請求項５】
前記電気的エネルギー値の幅によって返す前記識別子を予め決定しておき、前記計測手段から与えられた電気的エネルギー値がどの値の幅の範囲内に入るかを判断して、前記識別子を返すことを特徴とする前記識別子計算手段を備えた、請求項１または２記載の無線タグ装置。
【発明の詳細な説明】
【技術分野】
【０００１】
本発明は無線タグおよびＲＦＩＤ（Ｒａｄｉｏ  Ｆｒｅｑｕｅｎｃｙ  Ｉｄｅｎｔｉｆｉｃａｔｉｏｎ）に関し、特に非接触で外部から電気的エネルギーを与えられ、さらに情報を受け、該外部機器へ情報を送出する無線タグに関するものである。
【背景技術】
【０００２】
現在、ほとんどの商品にバーコードが付与され、市場を流通している。バーコードはバーコードリーダで読み取られ、商品管理に利用されることが多い。例えばコンビニ等で採用されたＰＯＳシステムにおいては、読み取ったバーコードからリアルタイムに販売動向の分析とそれに基づく商品の追加供給を行い、商品管理に寄与している。しかし、このバーコードの機能には限界がある。不正に商品を持ち出す場合のように、読み取りを拒むような場合には利用できない。
【０００３】
そこで、バーコードに代わってＲＦＩＤタグを用いたインベントリー（在庫管理）及び貸し出し管理（サーキュレーションコントロール）システムが提案された（例えば、特許文献１を参照）。図書館の管理システムがその代表例である。
【０００４】
特許文献１に記載された管理システムは、各書籍等の物品に付着したＲＦＩＤタグを使用するものである。各タグは、物品を識別するための独自の識別または連続番号を有している。インベントリー・データベースは、タグの付された物品の全てを追跡し、そして各物品についての貸し出し状態情報を保有する。
【０００５】
しかし、バーコードに代わって製品にＲＦＩＤタグが取り付けられた場合、製品に固有の情報とこの製品の購入者に固有の情報は、コンピュータ、あるいはネットワークから読出し可能、また書き込み可能であるため、不正にこれらの固有情報を読み出され、改ざんされる可能性があった。なお、製品に固有の情報とは、製造工程、製造番号、製造年月日、製造場所、販売場所等の情報等であり、購入者に固有の情報とは購入年月日、購入者の氏名、電話番号、保証期限等であり、メンテナンス情報（修理箇所、交換部品、修理年月日等）も含まれる。
【０００６】
すなわち、大量消費社会からリサイクル社会に移行しつつある現在、製品に固有の情報が不正に読み取られたり書き変えられたりすると、同一製造番号のコピー商品が出回ったり、出所や耐用年数に虚偽の内容が書き込まれたリサイクル品が流通する等の原因となる。こうしたことが横行する状態ではリサイクルシステムが成り立たない。リサイクル社会では、ＲＦＩＤタグから製品に固有の情報が不正の侵入者に読み取られたり、改ざんされたりしないことが必要である。
【特許文献１】特表２００１−５１１４２７号公報
【発明の開示】
【発明が解決しようとする課題】
【０００７】
以上説明したように、現在バーコードが商品管理に広く利用されているが、バーコードは、不正に商品を持ち出す場合のように読み取りが不可能な場合は利用できない。また、従来のＲＦＩＤタグを用いたインベントリー及び貸し出し管理システムは、図書館等の限られた空間で不正の持ち出しを防止したり、在庫を管理したり、貸し出しを管理したりするものであった。また、製品に固有の情報（初期情報）と購入者に固有の情報（個別利用情報）の、２種類の情報をどのように管理するのか、特に個人情報の漏洩をどうやって防ぐのかについて未解決であることが課題であった。
【課題を解決するための手段】
【０００８】
前記従来の課題を解決するために、本発明の無線タグ装置は、アンテナと、アンテナに与えられた電気的エネルギーを計測する計測手段と、コマンドを解析し各構成要素に指示を出すコマンド受信手段と、識別子を保持する識別子保持手段と、識別子を計算し返答する識別子を決定する識別子計算手段と、識別子をレスポンスに埋め込んでアンテナに通知するコマンド送信手段とを備え、アンテナに対して識別子を要求するコマンドが送信された時に、コマンド受信手段が解析し、計測手段に指示を出す。指示を受けた計測手段は、アンテナに与えられた電気的エネルギーを計測し、計測結果に応じた識別子を識別子計算手段で計算決定し、コマンド送信手段によって返信することを行う。
【０００９】
本構成によって、検出した電気的エネルギーの値によって送出するＩＤを変更することで、正規のＩＤの漏洩や不正取得を防止することが出来る。
【００１０】
本発明の一実施の形態において、前記電気的エネルギー値の幅によって返す前記識別子を予め決定しておき、前記計測手段から与えられた電気的エネルギー値がどの値の幅の範囲内に入るかを判断して、前記識別子を返すことを特徴とする前記識別子計算手段を備える。
【００１１】
本発明の一実施の形態において、前記計測手段は、アンテナに与えられた電力値、電圧値、電流値、電荷値、電束密度値および電界強度値のうちの少なくとも１つを計測する。
【００１２】
本発明の一実施の形態において、前記電気的エネルギー値が決められた値のときにだけ、決められた前記識別子を返すことを特徴とする前記識別子計算手段を備える。
【００１３】
本発明の一実施の形態において、前記電気的エネルギー値に応じた前記識別子を返すことを特徴とした前記識別子計算手段を備える。
【００１４】
本発明の一実施の形態において、前記識別子計算手段の計算方法を設定可能な設定手段を備える。本発明の一実施の形態において、電気的エネルギー値に対して返す前記識別子を設定することが可能な設定手段をさらに備える。本発明の一実施の形態において、各電気的エネルギー値に対して返す前記識別子を設定することが可能な設定手段をさらに備える。本発明の一実施の形態において、前記識別子計算手段の計算方法を設定可能な設定手段を備える。本発明の一実施の形態において、前記識別子保持手段を複数持ち、前記電気的エネルギー値に対して複数の識別子の内、どの識別子を返すかを決定する識別子決定手段を持つ。本発明の一実施の形態において、前記電気的エネルギー値に対して複数の識別子の内、どの識別子を返すかを設定可能な設定手段を備える。
【００１５】
本発明の一実施の形態において、更に、時刻計測手段を持ち、前記時刻計測手段は前記識別子計算手段が起動した時刻を計測し、更に前記識別子計算手段に計算指示が出された時間を計測し、起動した時刻と計算指示を受けた時刻との差を計算し、前記電気的エネルギー値と前記時刻が決められた値であった場合に、決められた前記識別子を返すことを特徴とする前記識別子計算手段を備える。本発明の一実施の形態において、更に、時刻計測手段を持ち、前期時刻計測手段は前記識別子計算手段が起動した時刻を計測し、更に前記識別子計算手段に計算指示が出された時間を計測し、起動した時刻と計算指示を受けた時刻との差を計算し、前記電気的エネルギー値と前記時刻を前記識別子計算手段に与え、各値に応じた前記識別子を返すことを特徴とする前記識別子計算手段を備える。
【００１６】
本発明の一実施の形態において、更に、暗号手段を持ち、前記電気的エネルギー値から前記識別子計算手段で計算された前記識別子を暗号化し、暗号化された前記識別子を送信する際に前記暗号手段が使用した暗号鍵も送信する。本発明の一実施の形態において、更に、暗号鍵保持手段を持ち、予め暗号鍵を設定しておき、暗号化された前記識別子を受け取る手段または装置と同一の暗号鍵を使用する。本発明の一実施の形態において、暗号鍵を設定することが可能な設定手段を備える。
【００１７】
本発明はまた、電気的エネルギーを受け取る電気的エネルギー受信ステップと、前記電気的エネルギー受信ステップによって受信された電気的エネルギーを計測し、電気的エネルギー値を得る計測ステップと、一つの識別子を保持する識別子保持ステップと、識別子の値を要求するコマンドを受信するコマンド受信ステップと、受信したコマンドに対して応答を返すコマンド送信ステップと、前記計測ステップにより計測された前記電気的エネルギー値に対して識別子を計算によって算出する識別子計算ステップとを有することを特徴とする無線タグ装置における情報保護方法を提供する。
【発明の効果】
【００１８】
本発明の無線タグ装置によれば、不正読み出しの場合、通常無線タグ装置とリーダ／ライタ間の距離が一定でないため、無線タグ装置から返されるＩＤが不定となり、正規の通信距離以外からの不正読み出しを防止することが出来る。
【発明を実施するための最良の形態】
【００１９】
以下本発明の実施の形態について、図面を参照しながら説明する。
【００２０】
（実施の形態１）
図１は、本発明の実施の形態１における無線タグ装置とリーダ／ライタの関係図である。
【００２１】
図１において、無線タグ装置１０１はリーダ／ライタ１１１及び１１２及び１１３と共に、ＩＤ用送受信装置を成すものである。リーダ／ライタ１１１及び１１２及び１１３は無線タグ装置１０１との送受信に必要な動作を実行する送受信回路１１５、無線タグ装置１０１の後述するアンテナ２０１との間で送受信を行うアンテナ１１４を備えている。
【００２２】
無線タグ装置１０１も送受信を行うアンテナ２０１を備えている。アンテナ１１４から送信されたコマンドを受信するとともに、リーダ／ライタ１１１及び１１２及び１１３のアンテナ１１４へ向かってレスポンスを返信する。またこのアンテナ２０１はリーダ／ライタ１１１及び１１２及び１１３のアンテナ１１４による電磁誘導により、コイル電圧が誘起され、このコイル電圧の誘起によって、後述する計測手段２０２、コマンド受信手段２０３、コマンド送信手段２０４、識別子保持手段２０５、識別子計算手段２０６、制御回路２１０に電力が供給され、無線タグ装置１０１が起動する。
【００２３】
リーダ／ライタ１１１及び１１２及び１１３は起動した無線タグ装置１０１に対して保持しているＩＤを要求するコマンドを送信する。コマンドを受信した無線タグ装置１０１はコマンドを解析し、ＩＤ取得要求コマンドであった場合はコイル電圧を測定し、コイル電圧に応じたＩＤを返信。返信するＩＤをある一つのコイル電圧に対してのみ返信する場合、無線タグ装置１０１はリーダ／ライタ１１１に対してのみＩＤを返信し、リーダ／ライタ１１２及び１１３に対してはＩＤを返信しないということが可能になる。また、返信するＩＤをコイル電圧値ごとに決められたＩＤを返信する場合、無線タグ装置１０１はリーダ／ライタ１１１には決められたＩＤを、リーダ／ライタ１１２にはリーダ／ライタ１１１とは異なるＩＤを、リーダ／ライタ１１３にはリーダ／ライタ１１１及びリーダ／ライタ１１２とは異なるＩＤを返信することが可能になる。
【００２４】
（実施の形態２）
図２は、本発明の実施の形態２における無線タグ装置の基本構成図である。図２において、図１と同じ構成要素については同じ符号を用い、説明を省略する。
【００２５】
図２において、アンテナ２０１は、リーダ／ライタ１１１及び１１２及び１１３のアンテナ１１４による電磁誘導によりコイル電圧が誘起され、電力を得る手段である。またこのアンテナ２０１は、リーダ／ライタ１１１及び１１２及び１１３のアンテナ１１４から送信されたコマンドを受信するとともに、リーダ／ライタ１１１及び１１２及び１１３のアンテナ１１４へ向かってレスポンスを返信する。得られた電力によって制御回路２１０の構成要素の計測手段２０２、コマンド受信手段２０３、コマンド送信手段２０４、識別子保持手段２０５、識別子計算手段２０６を起動する。
【００２６】
計測手段２０２は、アンテナ２０１に誘起されたコイル電圧を計測する手段である。この計測手段２０２はアンテナ２０１に直結されアンテナ２０１に誘起されたコイル電圧を検知する。その検知された電圧が、予め設定された閾値電圧（ここでは各要素を起動するのに必要な電圧）以下である場合には、後述する識別子計算手段２０６に電圧値を通知しない。しかし、コイル電圧が閾値電圧以上であるならば、その検知したコイル電圧を識別子計算手段２０６に通知する。また、コイル電圧を識別子計算手段２０６に通知するタイミングは、後述するコマンド受信手段２０３がコマンドを受信し、ＩＤを返信する必要があると判断した場合に通知される。その時に通知されるコイル電圧はコマンド受信手段２０３から指示を受けた瞬間の電圧である。
【００２７】
コマンド受信手段２０３は、アンテナ２０１に誘起されたコイル電圧が予め設定された電圧以上の時に起動し、アンテナ２０１で受信したコマンドを解析して計測手段２０２と識別子計算手段２０６に指示を出す手段である。アンテナ２０１よりコマンドを受信し、内容を解析しＩＤ取得要求のコマンドであった場合、計測手段２０２に検知したコイル電圧を識別子計算手段２０６に通知するように指示を出し、識別子計算手段２０５にＩＤを計算するように指示を出し、返信するＩＤを計算させる（計算式は識別子計算手段のところで説明を行う）。
【００２８】
コマンド送信手段２０４は、アンテナ２０１に誘起されたコイル電圧が予め設定された電圧以上の時に起動し、識別子計算手段２０６で決定された識別子（ＩＤ）をレスポンスの中に埋め込みアンテナ２０１を通してリーダ／ライタ１１１及び１１２及び１１３に対して返信をする手段である。識別子計算手段２０６で返信する識別子（ＩＤ）が決定された後にレスポンス返信の指示がコマンド送信手段２０４にあり、その指示を受けたコマンド送信手段２０４は識別子（ＩＤ）を受け取りその識別子（ＩＤ）をレスポンスの中に埋め込みレスポンスを作成する。作成できたレスポンスをアンテナ２０１に通知しアンテナ２０１を通してリーダ／ライタ１１１及び１１２及び１１３に返信する。
【００２９】
識別子保持手段２０５は、不揮発性のメモリで実装され、識別子計算手段２０６が識別子（ＩＤ）を計算決定する際に元となる識別子（ＩＤ）を保持し、識別子計算手段２０６から指示があった場合に保持している識別子（ＩＤ）を識別子計算手段２０６に通知する手段である。識別子保持手段２０５は、不揮発性のメモリで実装され、アンテナ２０１に誘起されてコイル電圧がかかっている場合の有無に関わらず識別子（ＩＤ）を保持する。
【００３０】
識別子計算手段２０６は、アンテナ２０１に誘起されたコイル電圧が予め設定された電圧以上の時に起動し、識別子保持手段２０５から識別子（ＩＤ）を取得し、計測手段２０２から得られた電圧値を元に識別子（ＩＤ）を計算決定する手段である。計算式は例えば、識別子（ＩＤ）の値と計測手段２０２で得られたコイル電圧の値との和をとることによって決定することとしてもよい。
【００３１】
制御回路２１０は、計測手段２０２、コマンド受信手段２０３、コマンド送信手段２０４、識別子保持手段２０５、識別子計算手段２０６によって構成される回路のことを指す。無線タグ装置１０１はアンテナ２０１と制御回路２１０とによって構成される。
【００３２】
リーダ／ライタ１１１及び１１２及び１１３からコマンドを送信し、コマンド受信手段２０３で受信する。受信したコマンドを解析し、識別子（ＩＤ）要求コマンドであった場合は、識別子計算手段２０６に識別子（ＩＤ）要求指示を出す。要求指示を受けた識別子計算手段２０６は、計測手段２０２から電圧値を、識別子保持手段２０５から識別子（ＩＤ）を取得する。取得した電圧値がある範囲内の値であった場合に、コマンド送信手段２０４にコマンド送信指示と一つの識別子（ＩＤ）を送る。ある範囲内の値でなかった場合はコマンド送信指示を出すが、識別子（ＩＤ）は送らない。コマンド送信手段２０４はコマンドを作成し、リーダ／ライタ１１１及び１１２及び１１３に対して返信する。
【００３３】
なお、識別子計算手段２０６において識別子を計算するときに電圧値がある範囲内の値であった場合に、一つの識別子を返すとしたが、識別子（ＩＤ）と取得した電圧値から計算を行い別の識別子（ＩＤ）を決定してもよい。例えば、識別子（ＩＤ）の値と計測手段２０２で得られたコイル電圧の値との和をとることによって決定することとしてもよい。
【００３４】
なお、識別子を計算するときに電圧値がある範囲内の値であった場合に、一つの識別子を返すとしたが、範囲内の値でなく、複数の値に対してそれぞれ対応した識別子を返すこととしても良い。
【００３５】
なお、識別子を計算するときに電圧値がある一つの値であった場合に、一つの識別子を返すとしたが、一つの電圧値でなくある範囲内に電圧値があった場合に、一つの識別子を返すこととしても良い。
【００３６】
なお、全ての手段を起動する時の電力をアンテナから取得したが、内部に電池を設け、各構成要素が起動するのに必要な電力を得られない場合は、その電池から電力を取得しても良い。
【００３７】
なお、計測手段２０２はアンテナ２０１が誘起した時のコイル電圧を計測し、電圧値を得たが、アンテナ２０１が誘起した時の電力を計測し、識別子（ＩＤ）を決定するための値としても良い。
【００３８】
なお、計測手段２０２はアンテナ２０１が誘起した時のコイル電圧を計測し、電圧値を得たが、アンテナ２０１が誘起した時の電流を計測し、識別子（ＩＤ）を決定するための値としても良い。
【００３９】
なお、計測手段２０２はアンテナ２０１が誘起した時のコイル電圧を計測し、電圧値を得たが、アンテナ２０１が誘起した時の電荷を計測し、識別子（ＩＤ）を決定するための値としても良い。
【００４０】
なお、計測手段２０２はアンテナ２０１が誘起した時のコイル電圧を計測し、電圧値を得たが、アンテナ２０１が誘起した時の電束密度を計測し、識別子（ＩＤ）を決定するための値としても良い。
【００４１】
なお、計測手段２０２はアンテナ２０１が誘起した時のコイル電圧を計測し、電圧値を得たが、アンテナ２０１が誘起した時の電界強度を計測し、識別子（ＩＤ）を決定するための値としても良い。
【００４２】
（実施の形態３）
図３は、本発明の実施の形態３における無線タグ装置の基本構成図である。図３において図１および図２と同じ構成要素については同じ符号を用い、説明を省略し、実施の形態２と異なるところのみを記す。
【００４３】
図３において、設定手段３０１はアンテナ２０１に誘起されたコイル電圧が予め設定された電圧値以上の時に起動し、識別子計算手段２０６と識別子保持手段２０５に対して計算方法や保持している識別子を設定する手段である。設定手段３０１は、識別子計算手段２０６に対して一つの電圧値に対して一つの識別子を返すのか、複数の電圧値に対してそれぞれに対応した識別子を返すのかを予め内部メモリ値として記憶してあり、ディップスイッチによってどちらの値を使用するか設定することが出来る。
【００４４】
また、設定手段３０１は、識別子保持手段２０５に対して保持されている識別子（ＩＤ）を別の識別子（ＩＤ）にコマンド受信手段２０３からの指示により設定することが出来る。コマンド受信手段２０３に識別子変更コマンドが受信された場合には通知を受け、コマンドの中の識別子（ＩＤ）をコマンド受信手段２０３より取得し、識別子保持手段２０５が保持している識別子（ＩＤ）をコマンドの中の識別子（ＩＤ）に変更することが出来る。
【００４５】
なお、設定手段３０１は識別子計算手段の計算方法を設定することが出来るとしても良い。
【００４６】
（実施の形態４）
図４は、本発明の実施の形態４における無線タグ装置の基本構成図である。図４において図１および図２および図３と同じ構成要素については同じ符号を用い、説明を省略し、実施の形態２および実施の形態３とことなるところのみを記す。
【００４７】
図４において、識別子保持手段４０１は従来までの識別子保持手段２０５を複数持ち、複数の識別子（ＩＤ）を保持する手段である。識別子計算手段２０６において識別子（ＩＤ）を決定する場合に、計測手段２０２から取得した電圧値より、どの範囲内の値なのかを検索し、特定の範囲に与えられたインデックスから識別子（ＩＤ）を識別子保持手段４０１から取得することが出来る。例えば、識別子（ＩＤ）が５つ（ＩＤ１〜ＩＤ５）あり、インデックスがそれぞれ１〜５まで付けられている。識別子計算手段では３Ｖ〜５Ｖがインデックス１、５Ｖ〜７Ｖがインデックス２、７Ｖ〜９Ｖがインデックス３、９Ｖ〜１１Ｖがインデックス４、１１Ｖ〜１３Ｖがインデックス５となったテーブルを持っており、計測手段２０２から取得した電圧値が８Ｖであった場合、識別子計算手段２０６はインデックスが３であると判断し、識別子保持手段４０１のインデックス３の識別子（ＩＤ）、ＩＤ３を取得する。
【００４８】
なお、設定手段３０１をさらに設け、複数の識別子（ＩＤ）を設定することが出来るとしても良い。
【００４９】
（実施の形態５）
図５は、本発明の実施の形態５における無線タグ装置の基本構成図である。図５において図１および図２と同じ構成要素については同じ符号を用い、説明を省略し、実施の形態２と異なるところのみを記す。
【００５０】
図５において、時刻計測手段５０１は、アンテナ２０１に誘起されたコイル電圧が予め設定された電圧以上の時に起動し、タイマー５０２の時刻を計測する手段である。時刻計測手段５０１は、識別子計算手段２０６よりも先に起動し、識別子計算手段２０６が起動したのを検知し、タイマー５０２を起動し時刻を計測する。さらに識別子計算手段２０６にコマンド受信手段２０３から計算指示が出されたのを検知し、タイマー５０２を止めてタイマー５０２が示す時刻を計測する。タイマー５０２が起動した時刻とコマンド受信手段２０３から識別子計算手段２０６に計算指示が出された時刻との差を得て、識別子計算手段２０６に通知する。識別子計算手段２０６はアンテナ２０１から得られた電圧値と取得した時刻の双方が決められた値であった場合に、識別子保持手段２０５から識別子（ＩＤ）を受け取り、コマンド送信手段２０５に通知する。
【００５１】
なお、識別子を計算するときに電圧値と与えられた時刻の双方がある一つの値であった場合に、一つの識別子を返すとしたが、一つでなく、複数の値に対してそれぞれ対応した識別子を返すこととしても良い。
【００５２】
（実施の形態６）
図６は、本発明の実施の形態６における無線タグ装置の基本構成図である。図６において図１および図２と同じ構成要素については同じ符号を用い、説明を省略し、実施の形態２と異なるところのみを記す。
【００５３】
図６において、暗号手段６０１はアンテナ２０１に誘起されたコイル電圧が予め設定された電圧以上の時に起動し、暗号をかけるための暗号鍵の生成と、識別子計算手段２０６から得た識別子（ＩＤ）に暗号をかけ、暗号化した識別子（ＩＤ）と暗号鍵をコマンド送信手段２０４に通知する手段である。暗号手段６０１は、識別子計算手段２０６が計算した識別子（ＩＤ）を入力として受け付け、暗号手段の内部で暗号鍵を生成し、識別子（ＩＤ）に対して暗号化を実施する。暗号手段６０１は、コマンド送信手段２０４に暗号化した後の識別子（ＩＤ）と暗号化する際に使用した暗号鍵を通知し、コマンド送信手段２０４は、まず識別子をコマンドにして送信する。その後暗号鍵をコマンドにして送信する。
【００５４】
なお、コマンド送信手段２０４で識別子（ＩＤ）のコマンドを送信してから暗号鍵のコマンドを送信することとしたが、暗号鍵のコマンドを送信してから識別子（ＩＤ）のコマンドを送信しても良い。
【００５５】
なお、コマンド送信手段２０４で識別子（ＩＤ）をコマンド送信してから暗号鍵のコマンドを送信することとしたが、識別子（ＩＤ）と暗号鍵を同時に送信するコマンドとしても良い。
【００５６】
なお、暗号手段６０１において暗号鍵を生成することとしたが、暗号鍵保持手段をさらに持ち、暗号鍵を予め設定しておき、暗号化を実施する際に暗号鍵保持手段の暗号鍵を使用することとしても良い。
【００５７】
なお、暗号鍵保持手段に暗号鍵を設定する設定手段を有しても良い。
【００５８】
なお、暗号手段６０１は内部で暗号鍵を生成することとしたが、内部で生成するのか外部で保持している暗号鍵を使うのかの設定手段をさらに有しても良い。
【産業上の利用可能性】
【００５９】
本発明にかかる無線タグ装置は、少なくとも一つの識別子を有し、ある一定の距離にあるリーダ／ライタに対してのみ正規の識別子（ＩＤ）を返す。このような無線タグ装置は、商品管理等として有用である。また在庫管理等物流の用途にも応用できる。
【図面の簡単な説明】
【００６０】
【図１】本発明に実施の形態１における無線タグ装置とリーダ／ライタの関係を示す図
【図２】本発明の実施の形態２における無線タグ装置の基本構成図
【図３】本発明の実施の形態３における無線タグ装置の設定手段を設けた場合の構成図
【図４】本発明の実施の形態４における無線タグ装置の識別子保持手段を複数設けた場合の構成図
【図５】本発明の実施の形態５における無線タグ装置の時刻計測手段を設けた場合の構成図
【図６】本発明の実施の形態６における無線タグ装置の暗号手段を設けた場合の構成図
【符号の説明】
【００６１】
１０１    無線タグ
１１１    正規のリーダ／ライタ
１１２    不正なリーダ／ライタ１
１１３    不正なリーダ／ライタ２
２０１    アンテナ
２０２    計測手段
２０３    コマンド受信手段
２０４    コマンド送信手段
２０５    識別子保持手段
２０６    識別子計算手段
２１０    制御回路
３０１    設定手段
４０１    識別子を複数持った識別子保持手段
５０１    時刻計測手段
５０２    タイマー
６０１    暗号手段
【図１】
2005352724.tif 000003
【図２】
2005352724.tif 000004
【図３】
2005352724.tif 000005
【図４】
2005352724.tif 000006
【図５】
2005352724.tif 000007
【図６】
2005352724.tif 000008